(57)【要約】【課題】表示基板の設置位置が制限されにくく、設計自由度の高い遊技機を提供する。【解決手段】遊技領域１６の外側に設置される飾り部材４０の後面側に、表示基板を収納可能な基板収納部４４が設けられているとともに、表示基板から延びるケーブルを配線するための配線部４５、４６が基板収納部４４から連通して設けられているため、遊技盤２の後側における配線スペースの都合に応じ、配線部４５、４６を利用して適切な位置までケーブルを延ばした後に遊技盤２の後側へ引き出すことができる。すなわち、表示基板の位置を変更することなく、ケーブルの遊技盤２の後側への引き出し位置を適宜変更することができる。したがって、表示基板の設置位置が制限されにくく、設計自由度の高いパチンコ機１とすることができる。【選択図】図５
2019195525.tif 000002
【特許請求の範囲】
【請求項１】
遊技盤の前面に遊技球が流下可能な遊技領域が設けられているとともに、前記遊技盤の前面で前記遊技領域の外側となる位置に、表示基板を有する表示部が設けられた遊技機であって、
前記遊技盤の前面で前記遊技領域の外側となる位置に、前面に装飾が施される飾り部材が設置されているとともに、
前記飾り部材の後面側に、前記表示基板を収納可能な基板収納部と、前記表示基板から延びるケーブルを配線するための配線部とが設けられていることを特徴とする遊技機。
【発明の詳細な説明】
【技術分野】
【０００１】
本発明は、たとえばパチンコ機等といった遊技機に関するものである。
【背景技術】
【０００２】
従来、遊技機の一例であるパチンコ機においては、遊技球が流下可能な遊技領域の外側に、たとえば特別図柄表示部等を構成する表示基板が設置されることがある（たとえば特許文献１）。そして、その表示基板と制御装置（たとえばメイン制御装置）とを接続するケーブルは、主に遊技盤の後側で引き回されている。
【先行技術文献】
【特許文献】
【０００３】
【特許文献１】特開２０１６−１１６７６８号公報
【発明の概要】
【発明が解決しようとする課題】
【０００４】
しかしながら、遊技盤の後側には、遊技領域内に設けられる各種入賞口や電動役物等に接続されるケーブルも引き回される上、遊技球を回収するための球通路等も配設されている。したがって、配線スペースの都合等から表示基板の設置位置が制限されてしまい、設計自由度に乏しいという問題があった。
【０００５】
そこで、本発明は、上記問題に鑑みなされたものであって、表示基板の設置位置が制限されにくく、設計自由度の高い遊技機を提供しようとするものである。
【課題を解決するための手段】
【０００６】
上記目的を達成するために、本発明は、遊技盤の前面に遊技球が流下可能な遊技領域が設けられているとともに、前記遊技盤の前面で前記遊技領域の外側となる位置に、表示基板を有する表示部が設けられた遊技機であって、前記遊技盤の前面で前記遊技領域の外側となる位置に、前面に装飾が施される飾り部材が設置されているとともに、前記飾り部材の後面側に、前記表示基板を収納可能な基板収納部と、前記表示基板から延びるケーブルを配線するための配線部とが設けられていることを特徴とする。
【発明の効果】
【０００７】
本発明によれば、遊技盤の前面で遊技領域の外側となる位置に設置される飾り部材の後面側に、表示基板を収納可能な基板収納部と、表示基板から延びるケーブルを配線するための配線部とが設けられている。そのため、表示基板の位置を変更せずとも、配線部を利用してケーブルを延ばすことで、遊技盤の後側における配線スペースの都合に応じて、ケーブルの遊技盤の後側への引き出し位置を適宜変更することができる。したがって、表示基板の設置位置が制限されにくく、設計自由度の高い遊技機とすることができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】飾り部材を前側から示した斜視説明図である。
【図５】飾り部材を後側から示した斜視説明図である。
【図６】カバー板が外された飾り部材を後側から示した説明図である。
【図７】（ａ）はカバー板を前側から示した斜視説明図であり、（ｂ）はカバー板を後側から示した斜視説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。図２は、遊技盤２を前面側から示した説明図である。図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の中央稍上寄りとなる位置には、「０」〜「９」の数字からなる装飾図柄やキャラクター等を表示するための演出用表示部６、演出用表示部６の下辺に沿って左右方向に延設されており、上面を遊技球が左右に転動可能な転動面８１、及び遊技領域１６内を流下する遊技球を転動面８１上へ導くためのワープ通路８２等を有する表示部材８０が設置されている。さらに、表示部材８０の下方で遊技領域１６の中央部から下部にかけて、遊技球が進入可能な進入口３１、進入口３１から分岐しつつ下方へ延びる遊技球流路３２、遊技球流路３２の分岐部等に配される種々の電動役物、遊技球が入賞可能な始動入賞口１９、遊技球が入賞可能な非電動役物３４、及び始動入賞口１９や非電動役物３４に入賞しなかった遊技球を再び遊技領域１６内へ排出する排出口３０、３０等を備えたセンター部材２６が設置されている。
【００１２】
また、表示部材８０及びセンター部材２６の左方には、遊技球が流下可能で、遊技球が入賞可能な入賞部材８４、８４が設置された左打ち用スペースＳＬが形成されており、この左打ち用スペースＳＬを流下させることで、ワープ通路８２への進入（すなわち、転動面８１上への誘導）や進入口３１への進入（すなわち、センター部材２６への進入）を効率良く狙えるようになっている。一方、表示部材８０及びセンター部材２６の右方にも遊技球が流下可能な右打ち用スペースＳＲが形成されている。この右打ち用スペースＳＲには、遊技球が通過可能なゲート部材２０、一対の可動片を有するチューリップ式電動役物１７、所謂大当たり状態において交互に開閉する２つの可動入賞装置１８Ａ、１８Ｂが設置されている。そして、遊技球を左打ち用スペースＳＬではなく右打ち用スペースＳＲを流下させることで、ゲート部材２０を通過させたり、開動作しているチューリップ式電動役物１７へ入賞させたり、開成している可動入賞装置１８Ａ、１８Ｂへ入賞させたりすることができるようになっている。
【００１３】
なお、左打ち用スペースＳＬや右打ち用スペースＳＲには、多数の遊技釘が植設されている。また、遊技領域１６外となる遊技盤２の左下部には、第１特別図柄及び第２特別図柄を夫々別個に表示可能とした特別図柄表示部８３が設けられている。さらに、遊技領域１６の下端位置には、遊技領域１６内へ打ち込まれた遊技球のうち、いずれの入賞部材へも入賞しなかった遊技球を回収するためのアウト口３３が設けられている。
【００１４】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な遊技ボタン２５が設けられている。
さらに、前扉４の上部には、効果音や各種メッセージ等を報音する夫々一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１５】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１６】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させ（所謂左打ちを行い）、センター部材２６への遊技球の進入、ひいては始動入賞口１９や非電動役物３４への遊技球の入賞を狙う。そして、始動入賞口１９や非電動役物３４への遊技球の入賞検知に起因して実行される所謂大当たり抽選の結果が「大当たり」になると、特別図柄表示部８３及び演出用表示部６に夫々所定の「大当たり図柄」が確定表示される（たとえば、演出用表示部６に「７、７」と確定表示させる）。また、「大当たり図柄」が確定表示されると、可動入賞装置１８Ａ、１８Ｂを夫々１回ずつ開成させるといった所謂「大当たり状態」が生起する。そこで、遊技者は、遊技球を右打ち用スペースＳＲへ打ち込んで流下させる所謂右打ちを行い、開成する可動入賞装置１８Ａ、１８Ｂへの遊技球の入賞を狙う。なお、始動入賞口１９及び非電動役物３４へ遊技球が入賞した場合、特別図柄表示部８３では第１特別図柄を変動／確定表示させる。
【００１７】
また、大当たり状態が終了すると、ゲート部材２０への遊技球の通過検知に起因して実行される所謂当たり抽選の結果が「当たり」となりやすく、チューリップ式電動役物１７が頻繁に開状態となって遊技球の入賞が可能となるとともに、チューリップ式電動役物１７への入賞検知に起因して実行される大当たり抽選の結果が「大当たり」となりやすい所謂確変状態が生起する。そこで、遊技者は右打ちを継続し、ゲート部材２０への遊技球の通過、及び頻繁に開状態となるチューリップ式電動役物１７への遊技球の入賞を狙う。また、チューリップ式電動役物１７への遊技球の入賞に応じて実行された大当たり抽選の結果が「大当たり」になると、特別図柄表示部８３及び演出用表示部６に「大当たり図柄」が確定表示され、可動入賞装置１８Ａ、１８Ｂを夫々１回ずつ開成させる「大当たり状態」が再び生起する。なお、チューリップ式電動役物１７へ遊技球が入賞した場合、特別図柄表示部８３では第２特別図柄を変動／確定表示させる。
【００１８】
そして、最初の確変状態から繰り返される「大当たり図柄」での確定表示回数が所定回数（たとえば１０回）に達し、当該所定回数目の「大当たり図柄」の確定表示に伴い生起した「大当たり状態」が終了すると、確変状態を生起させることなく、ゲート部材２０への遊技球の通過検知に起因して実行される当たり抽選の結果が「当たり」となりにくく（或いは「当たり」とならず）、チューリップ式電動役物１７がほぼ開状態とならない（或いは開状態になることがない）上、大当たり抽選の結果が「大当たり」となりにくい遊技開始当初の通常状態へ復帰する。そのため、遊技者は、右打ちを止めて左打ちを行う上記遊技へと戻る。
【００１９】
（飾り部材における配線構造に係る説明）
以下、本発明の要部となる飾り部材４０における配線構造について、図４〜図７にもとづき詳細に説明する。
図４は、飾り部材４０を前側から示した斜視説明図である。図５は、飾り部材４０を後側から示した斜視説明図である。図６は、カバー板４９が外された飾り部材４０を後側から示した説明図である。図７（ａ）はカバー板４９を前側から示した斜視説明図であり、（ｂ）はカバー板４９を後側から示した斜視説明図である。
【００２０】
飾り部材４０は、前面に装飾が施された状態で、遊技盤２の前面で遊技領域１６の外側となる位置に設置されるものであって、主に遊技領域１６の下側に位置する下飾り部材４１と、下飾り部材４１の右端に一体成形され、遊技領域１６の右側に位置する右飾り部材４２とを備えてなる。下飾り部材４１は、左右方向へ延びる本体４１ａと、本体４１ａの左端から左側へ膨出しつつ上方へ延びる内レール部４１ｂとを有する。本体４１ａは、前面、天面、底面、及び左右側面を有するとともに後面が開口する箱状に成形されている。そして、前面、天面、底面、及び左右側面で囲まれる空間のうち左端の部分は、特別図柄表示部８３の構成要素となる表示基板（表面にＬＥＤ等の表示部材が搭載された基板であって、図示しない）をネジ止めするためのボス４３、４３等が設けられた基板収納部４４として構成されている。また、基板収納部４４に連通しており、基板収納部４４から右側へ延びる空間（天面と底面との間の空間）は、表示基板から延びるケーブル（図示せず）を配線するための配線部４５、４６として構成されている。なお、基板収納部４４には、表示基板を露出させるための窓４４ａが開設されている。
【００２１】
第１の配線部４５は、基板収納部４４の右隣に位置しており、その天面には、アウト口３３を構成する開口部４７が天面から上方へ起立するように設けられている。また、第１の配線部４５には、天面から下方へ突出したり、底面から上方へ突出したりして第１の配線部４５の後側を一部覆う突起４８、４８・・が設けられている。一方、第２の配線部４６は、第１の配線部４５の右端から更に右側へ延びるように設けられており、当該部分は天面及び底面が一部欠かれている。また、第２の配線部４６には、カバー板４９が取付可能となっている。カバー板４９は、後面部５０と、後面部５０の上端から前方へ折り曲げられた天面部５１と、後面部５０の下端から前方へ折り曲げられた底面部５２とを有している。そして、当該カバー板４９を取り付けることで、第２の配線部４６の後面開口が、ケーブルの出入口４６ａとして機能する一部（具体的には右下端部）を除いて被覆されるとともに、本体４１ａ、後面部５０、天面部５１、及び底面部５２に囲まれた配線空間が形成されることになる。
【００２２】
なお、内レール部４１ｂの遊技領域１６内側面及び外側面に、帯状の金属板が取り付けられることで、内レール２４が構成されることになる。また、遊技盤２の右上部、左上部、及び飾り部材４０の左端部から発射通路１３を挟んだ外側となる左下部には、夫々別の飾り部材８５〜８７（全て遊技領域１６の外側に位置している）が設置されている。
【００２３】
そして、上記飾り部材４０は、基板収納部４４内に表示基板を収納した状態で、遊技盤２の前面に設置されることになるが、たとえば遊技盤２の後側において表示基板の後側となる位置に十分な配線スペースが確保できないとする。そのような場合には、遊技盤２において、飾り部材４０の範囲内で後側に十分な配線スペースが確保できる位置に開口を開設するとともに、配線部４５、４６を利用して当該開口までケーブルを延ばしてから遊技盤２の後側へ引き出してやれば、表示基板の位置を変更することなく対応することができる。また、飾り部材４０の遊技盤２への設置に伴い、カバー板４９の天面部５１や本体４１ａの天面が遊技領域１６の底面となって、遊技球の転動面として機能する。したがって、非電動役物３４や可動入賞装置１８Ａ、１８Ｂ等の何れの入賞部にも入賞しなかった遊技球は、最終的に本体４１ａやカバー板４９上に落下した後に、本体４１ａや天面部５１を転動しアウト口３３から排出されることになる。
【００２４】
（本実施形態のパチンコ機による効果）
以上のような構成を有するパチンコ機１によれば、遊技領域１６の外側に設置される飾り部材４０の後面側に、表示基板を収納可能な基板収納部４４が設けられているとともに、表示基板から延びるケーブルを配線するための配線部４５、４６が基板収納部４４から連通して設けられているため、遊技盤２の後側における配線スペースの都合に応じ、配線部４５、４６を利用して適切な位置までケーブルを延ばした後に遊技盤２の後側へ引き出すことができる。すなわち、表示基板の位置を変更することなく、ケーブルの遊技盤２の後側への引き出し位置を適宜変更することができる。したがって、表示基板の設置位置が制限されにくく、設計自由度の高いパチンコ機１とすることができる。
【００２５】
また、第１の配線部４５には、天面から下方へ突出したり、底面から上方へ突出したりして第１の配線部４５の後側を一部覆う突起４８、４８・・が設けられているし、第２の配線部４６には、その後面開口を被覆可能なカバー板４９が取り付けられているため、配線部４５、４６からのケーブルの飛び出しを防止することができる。
さらに、第２の配線部４６の後面開口を被覆するカバー板４９に、前方へ突出する天面部５１が設けられており、飾り部材４０の遊技盤２への設置に伴って、カバー板４９の天面部５１が遊技領域１６の底面となり、遊技球をアウト口３３側へ誘導する転動面として機能するようになっている。したがって、遊技球との衝突で天面部５１が破損したとしても、カバー板４９のみを交換するだけで対応することができ、メンテナンスの低コスト化を図ることができる。
【００２６】
（本発明の変更例について）
なお、本発明の遊技機に係る構成は、上記実施形態に何ら限定されるものではなく、遊技機全体の構成は勿論、飾り部材に係る構成等についても、本発明の趣旨を逸脱しない範囲で必要に応じて適宜変更可能である。
【００２７】
たとえば、上記実施形態では遊技領域の下側に位置する飾り部材４０にのみ基板収納部や配線部を設けているが、別の飾り部材（飾り部材８５、８６、８７であったり、右飾り部材４２であってもよい）に基板収納部や配線部を設けることは当然可能であるし、基板収納部や配線部を備えた複数の飾り部材を設置して遊技機を構成しても何ら問題はない。
また、飾り部材４０が下飾り部材４１と右飾り部材４２とを一体成形してなるものとしているが、当然ながら２つの独立した飾り部材をネジ止め等により連結して構成してもよく、飾り部材の形状等をどのように構成するかは適宜設計変更可能である。
さらに、飾り部材における基板収納部や配線部の位置、大きさ等に関しても、言うまでもなく設計変更可能である。
【００２８】
さらにまた、上記実施形態では基板収納部に窓を設けているが、透明な合成樹脂の採用等により、窓を設けずに基板収納部を構成することも当然可能であるし、配線部における突起やカバー板等についても上記実施形態の構成に何ら限定されることはなく、突起やカバー板を設けないとしても問題はない。
またさらに、上記実施形態では、基板収納部に特別図柄表示部を構成する表示基板を収納しているが、別の表示部を構成する表示基板を収納してもよい。
【００２９】
また、少なくとも１つの飾り部材に基板収納部や配線部が設けられていればよいのであって、たとえば配線部を有さない飾り部材に表示基板が収納され、表示基板の後側へ直接ケーブルが引き出されているような遊技機であっても、基板収納部や配線部が設けられた飾り部材が１つでも設置されてさえいれば、その配線部にケーブルが配線されていようがいまいが、本発明の権利を回避したことにはならない。
さらに、上記実施形態では１つの基板収納部に対して１つの表示基板しか収納するとしていないが、１つの基板収納部に対して複数の表示基板を収納するとしてもよいし、表示基板と他の基板（たとえば中継基板）とを収納するとしてもよい。
【００３０】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、遊技盤、遊技領域、表示基板、表示部、飾り部材、基板収納部、配線部等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、前記全ての要素のうちの複数の要素を適宜一体的に構成するか、もしくはひとつの要素を複数の要素に分けて構成するかは、敢えて特許請求の範囲等において特定していない限り、何れも当業者であれば極めて容易に考えられる事項であるため、あえて明細書等において全パターンを記載しなくても何れのパターンも想定範囲内であることは明らかであることから、本発明に係る権利範囲に含まれることは勿論である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３１】
１・・パチンコ機（遊技機）、２・・遊技盤、１６・・遊技領域、４０・・飾り部材、４１ａ・・本体、４４・・基板収納部、４５、４６・・配線部、４８・・突起、４９・・カバー板、８３・・特別図柄表示部（表示部）。
【図１】
2019195525.tif 000003
【図２】
2019195525.tif 000004
【図３】
2019195525.tif 000005
【図４】
2019195525.tif 000006
【図５】
2019195525.tif 000007
【図６】
2019195525.tif 000008
【図７】
2019195525.tif 000009